(57)【特許請求の範囲】
【請求項１】
金属製ケースと、このケースの開口部に周縁が溶着されてケースの開口部を閉塞している金属製の封口板と、この封口板に絶縁性のガスケットを挟着し、かつ封口板の電極孔を貫通して絶縁状態にカシメ構造で固定されている電極リベットと、ケースに内蔵されており、正負極いずれかの電極板を電極リベットに接続している電極群とを備える端子付角型電池において、前記電極リベットに接合される出力端子を備え、この出力端子が電極リベットに接合される平板部とこの平板部より延出する延出部よりなり、且つ前記延出部に絶縁材を介して電池のケースの側面に当接する爪部を形成したことを特徴とする端子付角型電池。
【請求項２】
金属製ケースと、このケースの開口部に周縁が溶着されてケースの開口部を閉塞している金属製の封口板と、この封口板に絶縁性のガスケットを挟着し、かつ封口板の電極孔を貫通して絶縁状態にカシメ構造で固定されている電極リベットと、ケースに内蔵されており、正負極いずれかの電極板を電極リベットに接続している電極群とを備える端子付角型電池において、前記電極リベットに接合される出力端子を備え、この出力端子が電極リベットに接合される平板部とこの平板部より延出する延出部よりなり、前記延出部に絶縁材を介して電池のケースの側面に当接する屈曲部を形成したことを特徴とする端子付角型電池。
【請求項３】
金属製ケースと、このケースの開口部に周縁が溶着されてケースの開口部を閉塞している金属製の封口板と、この封口板に絶縁性のガスケットを挟着し、かつ封口板の電極孔を貫通して絶縁状態にカシメ構造で固定されている電極リベットと、ケースに内蔵されており、正負極いずれかの電極板を電極リベットに接続している電極群とを備える端子付角型電池において、前記電極リベットに接合される出力端子を備え、この出力端子が電極リベットに接合される平板部とこの平板部より延出する延出部よりなり、前記延出部に絶縁材を介して電池のケースの側面に当接するクランク形屈曲部を形成したことを特徴とする端子付角型電池。
【発明の詳細な説明】
【技術分野】
【０００１】
本発明は、電極リベットに出力端子を接合した端子付角型電池の端子形状に関するものである。
【背景技術】
【０００２】
携帯用電子機器の電源として用いられる角型電池において、機器と電池の電気的接続方法としては、携帯電話のリチウムイオン電池パックに見られるように角型二次電池を樹脂ケースに内蔵し、電池パックの出力端子と機器側の端子とを接触させるものが一般的であった。
【０００３】
接触よりも信頼性のある方法としては、角型電池の両極に端子を溶接して、これらの端子を機器側の回路基板等に直接半田付けする方法が考えられる。円筒型電池の両極に端子を溶接した例としては特許文献１に開示されたような例があるが、これまでに角型電池の両端に端子を溶接した例は報告されていない。
【０００４】
一般に角型電池においては、特許文献２に開示されているように、一方の極性端子は電極リベットであり、もう一方の極性端子は金属ケースである。電極リベットは、金属製ケースの開口部を閉塞している金属製の封口板に絶縁性のガスケットを挟着し、かつ封口板の電極孔を貫通して絶縁状態にカシメ構造で固定されている。
【特許文献１】特開２００３−１１５２９２号公報
【特許文献２】特開２００４−３０３７３９号公報
【発明の開示】
【発明が解決しようとする課題】
【０００５】
特許文献２に示されるような角型電池に出力端子を溶接する場合、図４に示すように電極リベットと金属ケースに溶接することになる。金属ケースに出力端子を溶接した場合には、特に新たな課題は発生しなかったが、電極リベットに従来の出力端子を溶接した場合に課題が生じることがわかった。すなわち、落下などによって出力端子に外力が加わり、出力端子を溶接した電池リベットのヘッド部に回転トルクが加わったときに、図５に示すように回転方向にズレを生じ出力端子先端の位置が回路基板のスルーホールと合わなくなり、回路基板実装に支障をきたすという欠点があった。また、電極リベットが無理に回転することにより、電極リベットとガスケットの密着界面が擦れてガスケットに損傷を与え、電池の耐漏液性能が劣化するという欠点もあった。
【課題を解決するための手段】
【０００６】
前記課題を解決するために、本発明は、金属製ケースと、このケースの開口部に周縁が溶着されてケースの開口部を閉塞している金属製の封口板と、この封口板に絶縁性のガスケットを挟着し、かつ封口板の電極孔を貫通して絶縁状態にカシメ構造で固定されている電極リベットと、ケースに内蔵されており、正負極いずれかの電極板を電極リベットに接続している電極群とを備える角型電池において、前記電極リベットに接合される出力端子を備え、この出力端子が電極リベットに接合される平板部とこの平板部より延出する延出部よりなり、且つ前記延出部に絶縁材を介して電池のケースの側面に当接する爪部を形成したものである。
【０００７】
このことにより、前記爪部が角型電池のケースの側面に当接しているため、電極リベットのヘッドの回転方向のズレのストッパーとして作用し、落下などによる外力が加わっても電極リベットの回転方向のズレを防止できる。
【０００８】
また、前記課題を解決するための第二の手段として、本発明は、金属製ケースと、このケースの開口部に周縁が溶着されてケースの開口部を閉塞している金属製の封口板と、この封口板に絶縁性のガスケットを挟着し、かつ封口板の電極孔を貫通して絶縁状態にカシメ構造で固定されている電極リベットと、ケースに内蔵されており、正負極いずれかの電極板を電極リベットに接続している電極群とを備える角型電池において、前記電極リベットに接合される出力端子を備え、この出力端子が電極リベットに接合される平板部とこの平板部より延出する延出部よりなり、前記延出部に絶縁材を介して電池のケースの側面に当接する屈曲部またはクランク形屈曲部を形成したものである。
【０００９】
このことにより、前記屈曲部またはクランク形屈曲部が角型電池のケースの側面に当接しているため、電極リベットのヘッドの回転方向のズレのストッパーとして作用し、落下などによる外力が加わっても電極リベットの回転方向のズレを防止できる。
【発明の効果】
【００１０】
本発明によると、前記爪部または屈曲部またはクランク形屈曲部が角型電池のケースの側面に当接しているため、電極リベットのヘッド回転方向のズレのストッパーとして作用する。通常、電極リベットのヘッドよりも出力端子の方が大きいため、落下などによる外力が出力端子に加わった場合に、比較的小さな外力でも回転半径の差から電極リベットの中心部には大きなトルクが加わる。この時、前記爪部または屈曲部またはクランク形屈曲部が出力端子に設けられているので外力が加わる位置と回転半径に殆ど差がない位置で回転のズレを阻止することができる。
【発明を実施するための最良の形態】
【００１１】
本発明は、上記のように角型電池の電極リベットに接合される出力端子の延出部に、絶縁材を介して電池のケースの側面に当接する爪部または屈曲部またはクランク形屈曲部を形成することにより、電極リベットのヘッドの回転方向のズレのストッパーとして作用することを見出したものである。
【００１２】
また、電極リベットの中心を回転軸として時計回りあるいは反時計回りの回転の両方を止めるため、爪部または屈曲部またはクランク形屈曲部を回転軸に対してほぼ対称に形成することが好ましい。
【実施例１】
【００１３】
以下、本発明の実施の形態を、図面を参照しながら説明する。
【００１４】
（実施例１）
図１は本発明の一実施例に係る端子付角型電池の外観図である。角型電池１の金属製ケース２の開口部に周縁が溶着されてケースの開口部を閉塞している金属製の封口板３の電極孔を貫通して絶縁状態にカシメ構造で固定されている電極リベット４に溶接されたステンレス製の出力端子５において、電極リベットに接合される平板部５ａとこの平板部より延出する延出部５ｂ及び５ｃよりなり、延出部５ｂは基板へ半田付けされる接合部となり、且つ前記延出部５ｃは、アラミド紙よりなる絶縁材６を介して電池のケース２の側面に当接する爪部を形成している。
【００１５】
（実施例２）
図２は、本発明の一実施例に係る端子付角型電池の外観図である。角型電池１の金属製ケース２の開口部に周縁が溶着されてケースの開口部を閉塞している金属製の封口板３の電極孔を貫通して絶縁状態にカシメ構造で固定されている電極リベット４に溶接された出力端子５において、電極リベットに接合される平板部５ａとこの平板部より延出する延出
部５ｂよりなり、延出部５ｂは基板へ半田付けされる接合部となり、且つ前記延出部５ｂは、絶縁材６を介して電池のケース２の側面に当接する屈曲部５ｄを形成している。
【００１６】
（実施例３）
図３は、本発明の一実施例に係る端子付角型電池の外観図である。角型電池１の金属製ケース２の開口部に周縁が溶着されてケースの開口部を閉塞している金属製の封口板３の電極孔を貫通して絶縁状態にカシメ構造で固定されている電極リベット４に溶接された出力端子５において、電極リベットに接合される平板部５ａとこの平板部より延出する延出部５ｂよりなり、延出部５ｂは基板へ半田付けされる接合部となり、且つ延出部５ｂは、絶縁材６を介して電池のケース２の側面に当接するクランク形屈曲部５ｅを形成している。
【００１７】
（比較例１）
図４は、従来の出力端子を溶接した端子付角型電池の外観図である。
【００１８】
なお、出力端子は厚み０．２５ｍｍのステンレス製とし、リベットヘッドに対して同じ条件にて溶接した。
【００１９】
（試験結果）
これらの端子付角型電池において、出力端子に横方向から力を加えトルク試験を実施した。出力端子がリベットの中心線を軸に回転方向のズレを生じるトルク荷重を調べた結果を表１に示す。
【００２０】
【表１】
0005076762.tif 000002
表１に示すように、本発明の端子付電池は、爪部５ｃまたは屈曲部５ｄ、クランク形屈曲部５ｅが角型電池のケース２の側面に当接しているので、電極リベット４のヘッドの回転方向のズレのストッパーとして作用するため、トルク試験において比較例１に比べて大きな力を加えないと回転方向のズレが生じない結果となった。つまり落下などによる外力が出力端子に加わった場合には、前記爪部５ｃまたは屈曲部５ｄ、クランク形屈曲部５ｅによって出力端子の回転方向のズレを阻止することができる。
【産業上の利用可能性】
【００２１】
本発明の端子付角型電池によると、出力端子の固定が強固であり、落下した場合においても回転方向のズレが生じにくく、基板への実装時の端子挿入に支障をきたすことがなく、その工業的価値は高い。
【図面の簡単な説明】
【００２２】
【図１】本発明の第一の実施例に係る端子付角型電池の外観図
【図２】本発明の第二の実施例に係る端子付角型電池の外観図
【図３】本発明の第三の実施例に係る端子付角型電池の外観図
【図４】比較例の端子付角型電池外観図
【図５】比較例の端子付角型電池のトルク試験後外観図
【符号の説明】
【００２３】
１  角型電池
２  金属製ケース
３  封口板
４  電極リベット
５  出力端子
５ａ  平板部
５ｂ  延出部
５ｃ  爪部
５ｄ  屈曲部
５ｅ  クランク形屈曲部
６  絶縁材
【図１】
0005076762.tif 000003
【図２】
0005076762.tif 000004
【図３】
0005076762.tif 000005
【図４】
0005076762.tif 000006
【図５】
0005076762.tif 000007